(57)【要約】【課題】季節の移り変わりや、優美な趣向、或いは年齢等に応じたフィギュアや自然物等の装飾物を自在に取り換え可能とすることで、飲酒時等にその装飾物の造形を楽しむことができる装飾機能付きコースターの提供を図る。【解決手段】コースター基台とコースターと装飾部材取付ボードと装飾部材とから構成され、コースター基台はコースター位置決め凹部、装飾部材取付ボード取付け部を設けて成り、コースターはマット状に形成して成り、装飾部材取付ボードは装飾部材を着脱自在に取付可能な複数の穴状または溝状の狭持部、並びにマグネットの何れか、又はこれらの組み合わせにより成り、装飾部材は、装飾部材取付ボードの狭持部に狭持可能な形状又はマグネットに磁着可能な材質で形成される手段を採用した。【選択図】図１
0003173397.tif 000002
【実用新案登録請求の範囲】
【請求項１】
コースター基台と、
コースターと、
装飾部材取付ボードと、
装飾部材と、
から構成される装飾機能を有するコースターであって、
前記コースター基台は、
天面部に前記コースターが嵌め込まれる位置決め凹部を設け、
後面縁部に前記装飾部材取付ボードを着脱自在に取り付け可能な取付け部を有して成り、
前記コースターは、
円形又は等方多角形のマット状に形成して成り、
前記装飾部材取付ボードは、
前記装飾部材を着脱自在に取り付けることができる複数の穴状または溝状の狭持部、並びにマグネットの何れか、又はこれらの組み合わせによって前記装飾部材を取り付ける機能を有して成り、
前記装飾部材は、前記装飾部材取付ボードの狭持部に狭持可能な形状又は前記マグネットで磁着可能な材質で形成されることを特徴とする装飾機能付きコースター。
【請求項２】
前記コースター基台の後面縁部に前記装飾部材取付ボードを収納する収納部が設けられていることを特徴とする請求項１に記載の装飾機能付きコースター。
【請求項３】
前記コースター基台の前面縁部に箸置部材と該箸置部材収納部が設けられていることを特徴とする請求項１又は請求項２に記載の装飾機能付きコースター。
【請求項４】
前記装飾部材取付ボード及び前記箸置き部材が、前記コースター基台からヒンジを介して展開することで使用状態となり、閉じることで保管状態となる構成を採用したことを特徴とする前記請求項１から請求項３の何れかに記載の装飾機能付きコースター。
【請求項５】
前記装飾部材取付ボード及び前記箸置き部材が、前記コースター基台から弾性部材と位置固定機構を介してワンプッシュで引き出して使用状態となり、再度のワンプッシュで保管状態となるワンプッシュスライド機構を備えた構成を採用したことを特徴とする前記請求項１から請求項３の何れかに記載の装飾機能付きコースター。
【請求項６】
前記コースター基台の表面に、固定プレート部又は差し替え式プレート部を有することを特徴とする前記請求項１から請求項５の何れかに記載の装飾機能付きコースター。
【考案の詳細な説明】
【技術分野】
【０００１】
本考案は、季節の移り変わりや、優美な趣向、或いは年齢等に応じたフィギュアや自然物等の装飾物を自在に取り換え可能とすることで、飲酒時等にその装飾物の造形を楽しむことができる装飾機能付きコースターに関する。
【背景技術】
【０００２】
従来より、ビール、お酒、ジュース等の飲料物を飲む際には、コップやグラスの下にコースターが用いられる。コースターの本来的な使用目的は、冷たい飲み物を入れたコップなどに結露した水が流れて机が濡れるのを防いだり、熱が伝わるのを防ぐためであるが、他の目的として、デザインや質感から高級感を創出したり、店舗の名前や電話番号などを印刷して宣伝効果を図るものもある。素材は吸水性に優れたものが良く、紙、木材、布、合成樹脂など様々であるが、機能性よりもデザイン性を重視して、金属製、ガラス製、陶製のものが用いられることも少なくない。日本の喫茶店などで飲み物の提供に供されるコースターにはコルク製か紙製のものが多く、ファーストフード店などでは紙製のものを使い捨てるといった利用形態が多い。一般家庭などでは、家族が普段使う機能性の高いものと、デザイン性や高級感のある接客用とを使い分けていることが多いと思われる。
【０００３】
また、居酒屋や料理店等では、テーブルやカウンターの大きさが制限されため、おつまみ入れやお通し用の小皿、箸置きや食器具類が数多く並べられると、飲食物と関係のない装飾物を置くスペースはなくなってしまう場合が多い。従って、コースターや食器に描く模様や質感に工夫を凝らすか、或いは飲食物そのものに装飾を凝らす手段が採られている。
【０００４】
他方、家庭で缶ビールを飲む際、コップに注がず缶のままで飲むことも多いが、例えば、仕事で疲れて帰宅した際、単に缶ビールがテーブルに置かれるだけでなく、春であれば桜、秋であれば紅葉など、ちょっとした心遣いの装飾が施されるだけで嬉しい気持ちになり、その日の疲れが癒されることもある。しかし、従来のコースターや食器類に描かれた絵や模様等のように、無機質で平面的な装飾では係る効果を発揮し難い。そこで、自然物そのものであったり、利用者特有の優美な趣向を立体的に表現する装飾物を自在に取り換えることができるような、コースターの提供が望まれるところである。
【０００５】
また、老若男女を問わずに、例えば、子供であればアニメキャラクター、競馬好きの大人であれば有名馬のフィギュア、旅行好きな方には観光名所のジオラマなどを置きながら飲食時の雰囲気を演出することができる機能的なコースターも提供されてこなかった。
【０００６】
そこで、上記に述べられる問題点を解決しようと、種々の技術が提案されている。例えば、「飲食具置き片付きコースター」（特許文献１参照）や、「装飾用コースター」（特許文献２参照）や、「水滴吸収粉コースター」（特許文献３参照）や、「立体装飾コースター」（特許文献４参照）などである。
【０００７】
上記の「飲食具置き片付きコースター」（特許文献１）は、食器を置くコースター部と箸等の飲食具の先端部近傍を立て掛ける飲食具置き片とを備え、その飲食具置き片が前記コースター部の外周縁部の一部を折り立てて成ることによって、単純にコースターに飲食具置き片を合体させて、箸、スプーン、フォーク、ナイフ等の食器類をテーブル上に衛生的に置くことができる簡易構造のコースターの提案である。
【０００８】
また、「装飾用コースター」（特許文献２）は、物品を置くことができる上面をもつ角錐台形状に成形した透明なケース本体内に、光ファイバー束を細工して花や蝶等を形造りした立体模様部と、コードレスによる電源で作動する各種機能を備えた制御部を備え、制御部内の高原からの配光により、予め設定されている所定のパターンに沿って立体模様部を点滅させるように構成することによって、光ファイバー束を細工した花や蝶等の立体模様部に、光源からの光を所定のパターンに沿って配光することでテーブル上の装飾用置物としたり、花瓶や灰皿として利用したり、カラオケやテレビゲームのリモコンスイッチとして利用することができる多目的な機能を有するコースターの提案である。
【０００９】
また、「水滴吸収粉コースター」（特許文献３）は、上板は中心にグラスが入る穴を開け、下板は中心に上板の穴より大きな溝を掘り、その２枚の板を重ね、その１辺をジョイントで止めて片側を開くような形状を有するコースターを構成する。さらに、上記２枚の板の間に、ティッシュまたはナフキン等の水分吸収帯をはさみ込み、グラスについた水滴を吸収させる。この構成により、グラスがコースターに付いて来ることを防止でき、かつ、該水分吸収帯は簡易に交換できることによって、コースターが水滴によってグラスに付いて来ることを防止することができる折り畳み式のコースターの提案である。
【００１０】
また、「立体装飾コースター」（特許文献４）は、自然の趣を有するコースターであって、一定の大きさの切り取りミシン目を施した前記切り取りミシン目の外側に、花や木の実、小枝、木の芽などの自然物をバランスよく接着配置した自然物飾りを形成することによって、花や木の実、小枝、木の芽などの自然素材による、立体的にして自然の優しさと趣を演出することができる立体的な装飾を施したコースターの提案である。
【００１１】
しかしながら、上記の提案の何れも、本出願における装飾機能付きコースターの様に季節の移り変わりや、優美な趣向、或いは年齢等に応じたフィギュアや自然物等の装飾物を自在に取り換え可能とすることで、飲酒時等にその装飾物の造形を楽しむことができる装飾機能が付いたコースターではない。
【００１２】
そこで、本出願人は、上記問題点に鑑みて、装飾物を自在に取り換えることができるコースターが提供できないものかとの着想の下、コースター本来の機能を備えたまま、装飾性に富み、軽量で、簡単且つ安価な、本出願の「装飾機能付きコースター」の提案に至ったものである。
【先行技術文献】
【特許文献】
【００１３】
【特許文献１】特開平７−１１９７９号公報
【特許文献２】特開平６−３４５７３号公報
【特許文献３】実用新案登録第３１４２６９３号公報
【特許文献４】特開２００６−１４２７９５号公報
【考案の概要】
【考案が解決しようとする課題】
【００１４】
本考案は、季節の移り変わりや、優美な趣向、或いは年齢等に応じたフィギュアや自然物等の装飾物を自在に取り換え可能とすることで、飲酒時等にその装飾物の造形を変更することができる装飾機能付きコースターを提供しようとするものである。
【課題を解決するための手段】
【００１５】
本考案は、コースター基台と、コースターと、装飾部材取付ボードと、装飾部材と、から構成される装飾機能を有する機能的なコースターであって、前記コースター基台は、天面部に前記コースターが嵌め込まれる位置決め凹部を設け、後面縁部に前記装飾部材取付ボードを着脱自在に取り付け可能な取付け部を有して成り、前記コースターは、円形又は等方多角形のマット状に形成して成り、前記装飾部材を着脱自在に取り付けることができる複数の穴状または溝状の狭持部、並びにマグネットの何れか、又はこれらの組み合わせによって前記装飾部材を取り付ける機能を有して成り、前記装飾部材は、前記装飾部材取付ボードの狭持部に狭持可能な形状又は前記マグネットで磁着可能な材質で形成される手段を採る。
【００１６】
また本考案は、前記コースター基台の後面縁部に前記装飾部材取付ボードを収納する収納部が設けられている手段を採る。
【００１７】
また本考案は、前記コースター基台の前面縁部に箸置部材と該箸置部材収納部が設けられている手段を採る。
【００１８】
また本考案は、前記装飾部材取付ボード及び前記箸置き部材が、前記コースター基台からヒンジを介して展開することで使用状態となり、閉じることで保管状態となる構成を採用した手段を採る。
【００１９】
また本考案は、前記装飾部材取付ボード及び前記箸置き部材が、前記コースター基台から弾性部材と位置固定機構を介してワンプッシュで引き出して使用状態となり、再度のワンプッシュで保管状態となるワンプッシュスライド機構を備えた構成を採用した手段を採る。
【００２０】
また本考案は、前記コースター基台の表面に、固定プレート部又は差し替え式プレート部を有する構成を採用した手段を採る。
【考案の効果】
【００２１】
請求項１の本考案に係る装飾機能付きコースターによれば、コースター基台に装飾部材取付ボードを設けることによって、季節の移り変わりや、優美な趣向、或いは年齢等に応じたフィギュアや自然物等の装飾物を自在に取り換え可能とすることで、飲酒時等にその造形を楽しむことができる優れた効果を奏する。
【００２２】
また、請求項１の本考案に係る装飾機能付きコースターによれば、おつまみ入れやお通し用の小皿ならびに瀬戸物製の箸置きなどがコースター基台内に収納されるため注文された料理が盛られた食器や皿を置くスペースが充分に確保される優れた効果を奏する。
【００２３】
また、請求項２から請求項５に係る装飾機能付きコースターによれば、装飾部材取付ボードや箸置き部を折り畳み式やプッシュスライド式にすることによって、携帯性を備えると共に、軽量且つ簡単構造で安価なコースターが提供できる優れた効果を奏する。
【００２４】
また、本考案に係る装飾機能付きコースターによれば、子供やマニアックな趣味を持つ方が、その趣味に応じたキャラクター人形やフィギュア、ジオラマ、模型等を身近に置いて、楽しく飲食できるという優れた効果を奏する。
【００２５】
また、請求項６に係る装飾機能付きコースターによれば、基台の表面に固定プレート部又は差し替え式プレート部を有するので、例えば「今日は結婚記念日」とか、「お誕生日おめでとう」など、予め用意した種々の行事に対するメッセージプレートを適宜交換したり、或いは固定プレートに「お迎えありがとう」とか「出張ご苦労様でした」などと、その日の出来事に対する感謝の意を記載して伝えることができるという優れた効果を奏する。
【図面の簡単な説明】
【００２６】
【図１】本考案における装飾機能付きコースターの全体を示す説明図である。（実施例１）
【図２】本考案における装飾機能付きコースターの別の実施形態における使用状態を示す説明図である。（実施例２）
【図３】本考案における装飾機能付きコースターの別の実施形態における使用状態を示す説明図である。（実施例３）
【図４】本考案における装飾機能付きコースターの別の実施形態における使用状態を示す説明図である。（実施例４）
【図５】本考案における装飾機能付きコースターの別の使用状態を示す説明図である。
【図６】本考案における装飾機能付きコースターの別の使用状態を示す説明図である。
【考案を実施するための形態】
【００２７】
本考案の装飾機能付きコースターは、コースター基台に、装飾部材取付ボードを設けたことを最大の特徴とするもので、以下実施例を図面に基づいて説明する。
【実施例１】
【００２８】
図１は本考案における装飾機能付きコースター１０の全体を示す説明図である。本考案の装飾機能付きコースター１０は、コースター基台２０と、コースター３０と、装飾部材取付ボード４０と、で構成され、該コースター基台２０の後面縁部２２と装飾部材取付ボード４０の前面縁部４４とに、取付け部２９を設けた構成を採用したものである。
【００２９】
コースター基台２０は、天面部２１にはコースター３０が嵌め込まれる位置決め凹部２４を設け、後面縁部２２には装飾部材取付ボード４０の前面縁部４４に設けられる取付け部２９が着脱自在に取付けられる構造を有する。請求項６に係るコースター基台２０には、
【００３０】
コースター３０は、全体形状を円形又は等方多角形のマット状に形成して成り、コースター基台２０の天面部２１の位置決め凹部２４に嵌め込まれ、コップやグラスの下に敷かれて水分を吸収する役割を果たすもので、紙、木、革、布、合成繊維等を素材として形成されるものである。
【００３１】
装飾部材取付ボード４０は、前面縁部４４に取付け部２９が設けられて、装飾部材５０を着脱自在に取り付けることができる複数の穴状または溝状の狭持部４１並びにマグネット４２の何れか、又はこれらの組み合わせによって取り付ける機能を有し、自然装飾物などの装飾部材５０を季節の移り変わりに合わせて差し替えて楽しむことができる機能を有している。
【００３２】
装飾部材５０は、装飾部材取付ボード４０の狭持部４１に狭持可能な形状又はマグネット４２で磁着可能な素材で形成される桜の木、紅葉の木などの自然装飾物や、キャラクター人形、フィギュアなどを自分好みの趣味グッズを装飾部材取付ボード４０に着脱自在に装着するものである。
【００３３】
上記の構成で形成される装飾機能付きコースター１０は、季節の移り変わりや、優美な趣向、或いは年齢等に応じた装飾部材５０を装飾部材取付ボード４０の狭持部４１に狭持可能な形状又はマグネット４２で磁着可能な材質で形成される装飾部材５０を容易に着脱することができる構造を有するものである。
【実施例２】
【００３４】
図２は本考案における装飾機能付きコースター１０の別の実施形態における使用状態を示す説明図である。本考案の装飾機能付きコースター１０は、コースター基台２０と、コースター３０と、装飾部材取付ボード４０と、で構成される装飾機能付きのコースターであって、該コースター基台２０の後面縁部２２に装飾部材取付ボード４０を収納する収納部２５と、コースター基台２０の前面縁部２３に箸置き部材２６をスライド収納自在に内設した構成を採用したものである。
【００３５】
上記の構成で形成される装飾機能付きコースター１０は、季節の移り変わりや、優美な趣向、或いは年齢等に応じた装飾部材５０を装飾部材取付ボード４０の狭持部４１に狭持可能な形状又はマグネット４２で磁着可能な材質で形成される装飾部材５０をスライド自在に収納することができるものである。
【実施例３】
【００３６】
図３は本考案における装飾機能付きコースター１０の別の実施形態における使用状態を示す説明図である。本考案の装飾機能付きコースター１０は、コースター基台２０と、コースター３０と、装飾部材取付ボード４０と、で構成される装飾機能付きのコースターであって、該装飾部材取付ボード４０が、ヒンジ２８aの開放によって使用状態と保管状態となるヒンジ機構２８を備えた構成を採用したものである。
【００３７】
ヒンジ機構２８は、ヒンジ２８a（蝶番）で構成される従来技術を流用するもので、本出願におけるヒンジ機構は、その機構ならびに設置位置を特に限定するものではない。
【００３８】
上記の構成で形成される装飾機能付きコースター１０は、装飾部材取付ボード４０が、ヒンジ２８aの開閉によってワンタッチで使用状態と保管状態となると共に、箸置き部材２６がスライド自在にワンタッチで収納する構造を有するもので、季節の移り変わりや、優美な趣向、或いは年齢等に応じた装飾部材５０を装飾部材取付ボード４０の狭持部４１に狭持可能な形状又はマグネット４２で磁着可能な材質で形成される装飾部材５０を開閉自在に装着することができるものである。
【実施例４】
【００３９】
図４は本考案における装飾機能付きコースター１０の別の実施形態における使用状態を示す説明図である。本考案の装飾機能付きコースター１０は、コースター基台２０と、コースター３０と、装飾部材取付ボード４０と、で構成される装飾機能付きのコースターであって、該装飾部材取付ボード４０及び箸置き部材２６が、コースター基台２０から弾性部材と位置固定機構を介してワンプッシュで引き出して使用状態となり、再度のワンプッシュで保管状態となるワンプッシュスライド機構４３を備えた構成を採用したものである。
【００４０】
コースター基台２０内に装飾部材取付ボード４０を収納するワンプッシュスライド機構４３を備えた収納部２５が設けられることによって、使用時において装飾部材取付ボード４０を外側方向からワンプッシュすることで容易に出し入れすることができるものである。
【００４１】
ワンプッシュスライド機構４３は、弾性部材と位置固定機構で構成される所謂ボールペンの送り出し機構を介してワンプッシュで引き出すことができる周知技術を流用するもので、本出願におけるワンプッシュスライド機構４３は、その機構ならびに設置位置を特に限定するものではない。
【００４２】
上記の構成で形成される装飾機能付きコースター１０は、装飾部材取付ボード４０が、ワンプッシュスライド機構４３によってワンプッシュで引き出して使用状態となり、再度のワンプッシュで保管状態となることができるもので、季節の移り変わりや、優美な趣向、或いは年齢等に応じた装飾部材５０を装飾部材取付ボード４０の狭持部４１に狭持可能な形状又はマグネット４２で磁着可能な材質で形成される装飾部材５０を装着するものである。
【００４３】
図５は本考案における装飾機能付きコースター１０の別の使用状態を示す説明図である。本考案の装飾機能付きコースター１０は、コースター基台２０と、コースター３０と、装飾部材取付ボード４０と、箸置部材２６と、を備えた構成を採用したものである。
【００４４】
該装飾部材取付ボード４０に取り付けられる装飾部材５０を、季節の移り変わりに合わせて差し替えて楽しむことができる紅葉の木としたもので、飲料時における季節感と自然素材による趣を感じることができる箸置き付きのコースターとするものである。
【００４５】
また更に、請求項６に係る本考案の装飾機能付きコースター１０では、更に、固定プレート６０が設けられる。該固定プレート６０は、水性ペンで書き消し可能な所謂ホワイトボードである。
【００４６】
図６は本考案における装飾機能付きコースター１０の別の使用状態を示す説明図である。本考案の装飾機能付きコースター１０は、コースター基台２０と、コースター３０と、装飾部材取付ボード４０と、箸置部材２６と、を備えた構成を採用したものである。
【００４７】
該装飾部材取付ボード４０に取り付けられる装飾部材５０を、自分好みのキャラクター人形としたもので、飲料時における自分好みのキャラクター人形を差し替えて味わうことができる箸置き付きのコースターとするものである。
【００４８】
また、請求項６に係る本考案の装飾機能付きコースター１０では、更に、差し替え式プレート６２と差し替え式プレート窓６３から成る差し替え式プレート部６１が設けられる。該差し替えプレートは、水性ペンで書き消し可能な所謂ホワイトボードである。
【産業上の利用可能性】
【００４９】
本考案における装飾機能付きコースターは、自然装飾物などを季節の移り変わりに合わせて差し替えて楽しむことができることから、業務用から家庭用さらには子供から大人に至るまで飲料時に楽しみながら利用することができるもので、本考案の装飾機能付きコースターの産業上の利用可能性は大とするものと解する。
【符号の説明】
【００５０】
１０  装飾機能付きコースター
２０  コースター基台
２１  天面部
２２  後面縁部
２３  前面縁部
２４  位置決め凹部
２５  収納部
２６  箸置部材
２７  箸置部材収納部
２８  ヒンジ機構
２８a ヒンジ
２９  取付け部
３０  コースター
４０  装飾部材取付ボード
４１  狭持部
４２  マグネット
４３  ワンプッシュスライド機構
４４  前面縁部
５０  装飾部材
６０  固定プレート部
６１  差し替え式プレート部
６２  差し替え式プレート
６３  差し替え式プレート窓
Ｃ    箸
【図１】
0003173397.tif 000003
【図２】
0003173397.tif 000004
【図３】
0003173397.tif 000005
【図４】
0003173397.tif 000006
【図５】
0003173397.tif 000007
【図６】
0003173397.tif 000008